(57)【要約】      （修正有）【課題】メニュー項目の選択方法を、停車中および運転中のそれぞれにおいて、運転者にとってより使いやすくすることができる車載システムを提供する。【解決手段】車載システム１０は、停車中には、タッチパネル１１を用いた入力に適したメニュー項目の配置を有するメニュー画面を表示装置１３に表示し、走行中には、ダイヤルスイッチ１２を用いた入力に適したメニュー項目の配置を有するメニュー画面を表示装置１３に表示する。【選択図】図１
2008065519.tif 000002
【特許請求の範囲】
【請求項１】
車両に搭載され、ユーザによって選択されたメニュー項目に対応する処理を実行する車載装置であって、
複数のメニュー項目を有するメニュー画面を表示装置に表示するメニュー表示手段と、
前記メニュー画面を表示している前記表示装置の画面上において、触れられた位置を検出することにより、当該触れられた位置に表示されているメニュー項目をユーザに選択させる接触式入力手段と、
前記表示装置に表示されているメニュー画面内の複数のメニュー項目において、フォーカスを移動させることにより、いずれかのメニュー項目をユーザに選択させる移動式入力手段と、
処理に応じたメニュー画面を前記メニュー表示手段に表示させると共に、前記接触式入力手段または前記移動式入力手段を介して選択されたメニュー項目に応じた処理を実行するアプリケーション実行手段と
を備え、
前記メニュー表示手段は、
前記車両が停車中の場合に、前記接触式入力手段による入力に適したメニュー項目の並びで構成されるメニュー画面である接触用入力画面を前記表示装置に表示し、
前記車両が走行中の場合に、前記移動式入力手段による入力に適したメニュー項目の並びで構成されるメニュー画面である移動用入力画面を前記表示装置に表示すること
を特徴とする車載装置。
【請求項２】
請求項１に記載の車載装置であって、
前記接触用入力画面には、走行中に操作が禁止されている処理に対応するメニュー項目が含まれており、
前記移動用入力画面には、走行中に操作が禁止されている処理に対応するメニュー項目が含まれていないこと
を特徴とする車載装置。
【請求項３】
請求項１または２に記載の車載装置であって、
前記移動式入力手段は、
少なくとも一部が回転することにより、前記表示装置に表示されたメニュー画面内の複数のメニュー項目において、フォーカスを移動させること
を特徴とする車載装置。
【請求項４】
請求項１から３のいずれか一項に記載の車載装置であって、
前記接触用入力画面には、複数のメニュー項目の少なくとも１つが、３つ以上の他のメニュー項目と隣接して表示されており、
前記移動用入力画面には、複数のメニュー項目のそれぞれが、１つまたは２つの他のメニュー項目と隣接して表示されていること
を特徴とする車載装置。
【発明の詳細な説明】
【技術分野】
【０００１】
本発明は、車両に搭載され、ユーザによって選択されたメニュー項目に対応する処理を実行する車載装置に関する。
【背景技術】
【０００２】
特許文献１には、入力手段として、タッチパネルを備える車載用ナビゲーション装置が開示されている。また、近年、ナビゲーション装置をはじめとする車載装置の入力手段として、小型でありながら、操作性の優れたハードウェアスイッチであるダイヤル式のスイッチが採用される場合がある。
【０００３】
【特許文献１】特開平９−２１８０４５号公報
【発明の開示】
【発明が解決しようとする課題】
【０００４】
ところで、近年の車載装置の中には、タッチパネルとダイヤルスイッチのように、複数の入力手段を備えるものがある。タッチパネルを用いた入力では、表示されている画面の位置に触れることで触れた位置に表示されている画像領域に対応付けられたメニュー項目が選択され、直感的な操作が可能であり、ユーザにとって使いやすい。
【０００５】
また、タッチパネル用のメニュー画面では、メニュー項目の画像領域にユーザが容易に触れることができるように、メニュー項目の画像領域を大きくする場合がある。この場合、大きく表示したメニュー項目の画像領域内に、メニュー項目の詳細な情報を表示することにより、入力に際してより詳細な情報をユーザに提供することができ、さらに使いやすくなる。
【０００６】
しかし、メニュー項目の画像領域に詳細な情報を表示するため、メニュー項目によっては、表示された詳細情報を読まなければ、どのメニュー項目をユーザが選択できない場合がある。停車中であれば、運転手であっても、表示画面をよく見て、表示された詳細な情報をよく読むことが可能であるが、走行中には、運転手は、表示画面をよく見ることが難しい場合がある。
【０００７】
また、車載装置の表示画面は、運転席に座っている人からはもとより、助手席や後部座席に座っている人からも見えやすい位置に設けられる場合が多いが、そのような位置は、運転席に座っている人から操作されやすい位置であるとは限らない。そのため、運転手は、走行中に画面に触れて車載装置を操作することが難しい場合がある。
【０００８】
これに対して、ダイヤルスイッチ等のハードウェアスイッチは、それ自体が見えやすい位置に設けられる必要はなく、例えば運転手によって操作されやすい位置に設けられる。そのため、運転手による走行中の操作が容易となる。ハードウェアスイッチを用いたメニュー項目の選択は、例えば、複数のメニュー項目が表示されているメニュー画面において、メニュー項目のフォーカスを移動させ、選択対象のメニュー項目にフォーカスが合っているときに、選択を指示するハドウエァスイッチを操作することにより実現される。
【０００９】
しかし、ハードウェアスイッチが例えばダイヤルスイッチの場合、メニュー項目の配置によっては、ダイヤルスイッチの回転によるメニュー項目のフォーカスの移動が、予め車載装置に設定されている動き（例えば図８に示すような動き）と、ユーザが想定している動き（例えば図９に示すような動き）とで異なる場合があり、やはりユーザにとって使い難い場合があった。
【００１０】
本発明は上記事情を鑑みてなされたものであり、本発明の目的は、メニュー項目の選択方法を、停車中および運転中のそれぞれにおいて、運転者にとってより使いやすくすることにある。
【課題を解決するための手段】
【００１１】
上記課題を解決するために、本発明の車載装置は、停車中に、接触式入力手段を用いた入力に適したメニュー項目の配置を有するメニュー画面を表示し、走行中に、移動式入力手段を用いた入力に適したメニュー項目の配置を有するメニュー画面を表示する。
【００１２】
また、本発明は、例えば、車両に搭載され、指定されたメニュー項目に対応する処理を実行する車載装置であって、複数のメニュー項目を有するメニュー画面を表示装置に表示するメニュー表示手段と、メニュー画面を表示している表示装置の画面上において、触れられた位置を検出することにより、当該触れられた位置に表示されているメニュー項目をユーザに選択させる接触式入力手段と、表示装置に表示されたメニュー画面内の複数のメニュー項目において、フォーカスを移動させることにより、いずれかのメニュー項目をユーザに選択する移動式入力手段と、処理に応じたメニュー画面をメニュー表示手段に表示させると共に、接触式入力手段または移動式入力手段を介して選択されたメニュー項目に応じた処理を実行するアプリケーション実行手段とを備え、メニュー表示手段は、車両が停車中の場合に、接触式入力手段による入力に適したメニュー項目の並びで構成されるメニュー画面である接触用入力画面を表示装置に表示し、車両が走行中の場合に、移動式入力手段による入力に適したメニュー項目の並びで構成されるメニュー画面である移動用入力画面を表示装置に表示することを特徴とする車載装置を提供する。
【発明の効果】
【００１３】
本発明の車載装置によれば、メニュー項目の選択方法を、停車中および運転中のそれぞれにおいてより使いやすくすることができる。
【発明を実施するための最良の形態】
【００１４】
以下に、本発明の実施の形態について、図面を参照しながら説明する。
【００１５】
図１は、本発明の一実施形態に係る車載システム１０の構成を示すシステム構成図である。車載システム１０は、タッチパネル１１、ダイヤルスイッチ１２、表示装置１３、および車載装置本体２０を備える。車載装置本体２０は、アプリケーション実行部２１およびメニュー表示部２２を備える。
【００１６】
表示装置１３は、例えばＬＣＤ（Liquid Crystal Display）等であり、メニュー表示部２２から出力されるメニュー画面やアプリケーション実行部２１による処理時応じた画面等の画面イメージを表示する。
【００１７】
タッチパネル１１は、メニュー画面を表示している表示装置１３の画面上において、触れられた画面位置を検出することにより、当該触れられた画面位置に表示されているメニュー項目をユーザに選択させる接触式入力手段の一例である。タッチパネル１１は、表示装置１３の画面上に設けられ、表示装置１３の画面上において、触れられた画面上の位置を検出し、検出した位置を示す情報をアプリケーション実行部２１に供給する。
【００１８】
ダイヤルスイッチ１２は、メニュー画面に表示されている複数のメニュー項目のフォーカスを移動させることにより、ユーザに所望のメニュー項目を選択させる移動式入力手段の一例であり、一部が回転可能なダイヤルで構成されている。ユーザによって当該ダイヤルが回転させられた場合に、ダイヤルスイッチ１２は、所定の回転角度毎にパルスを発生させ、発生したパルスをアプリケーション実行部２１に供給する。ダイヤルスイッチ１２は、運転者が運転中に操作しやすい位置、例えばハンドル等に設けられる。
【００１９】
なお、ダイヤルスイッチ１２は、ダイヤルの回転量を示す情報をアプリケーション実行部２１に供給するようなものでもよい。また、移動式入力手段としては、他に、ジョイスティックや複数の方向ボタンを有するスイッチ等であってもよい。
【００２０】
アプリケーション実行部２１は、タッチパネル１１またはダイヤルスイッチ１２を介して受け付けたユーザからの指示に応じて、現在位置を算出して地図上に表示する処理、目的地までの経路を探索する処理、または探索した経路に従って車両を誘導する処理等を行う。アプリケーション実行部２１は、それぞれの処理に応じた画面を表示装置１３に表示する。
【００２１】
また、アプリケーション実行部２１は、それぞれの処理においてユーザからの入力が必要な場合に、ユーザからの入力を受け付けるメニュー画面をメニュー表示部２２に生成させる。そして、アプリケーション実行部２１は、タッチパネル１１またはダイヤルスイッチ１２を介してユーザの操作を示す信号を取得した場合に、表示装置１３に表示されているメニュー画面に関する情報をメニュー表示部２２から取得して、ユーザによって選択されたメニュー項目を特定する。
【００２２】
メニュー表示部２２は、アプリケーション実行部２１から指示された場合に、メニュー画面を生成して表示装置１３に表示させる。このとき、メニュー表示部２２は、車両が停車中である場合には、例えば図２に示すような、タッチパネル１１を用いた入力に適したメニュー項目の並びで構成されるメニュー画面を表示装置１３に表示させる。
【００２３】
一方、車両が走行中である場合には、例えば図３に示すような、ダイヤルスイッチ１２を用いた入力に適したメニュー項目の並びで構成されるメニュー画面を表示装置１３に表示させる。メニュー表示部２２は、例えば車両から車速パルスが供給されているか否かを判定することにより、車両が走行中か否かを判定する。
【００２４】
タッチパネル１１を用いた入力に適したメニュー項目の並びで構成されるメニュー画面とは、例えば図２に示すように、それぞれのメニュー項目３１が表示される画面領域が比較的広く、複数のメニュー項目３１の少なくとも１つが、３つ以上の他のメニュー項目３１と隣接して表示されているメニュー画面３０を指す。
【００２５】
図２に示す例では、メニュー項目３１ｂは、メニュー項目３１ａ、３１ｅ、および３１ｃに隣接して表示されており、メニュー項目３１ｅは、メニュー項目３１ｄ、３１ｂ、および３１ｆに隣接して表示されている。
【００２６】
このように、比較的広い領域にメニュー項目が表示されることにより、ユーザは所望のメニュー項目が表示された画面領域に確実に触れることができる。
【００２７】
ダイヤルスイッチ１２を用いた入力に適したメニュー項目の並びで構成されるメニュー画面とは、例えば図３に示すように、それぞれのメニュー項目３３が表示される画面領域が比較的狭く、複数のメニュー項目３３のそれぞれが、１つまたは２つの他のメニュー項目３３と隣接して表示されているメニュー画面３２を指す。
【００２８】
図３に示す例では、メニュー項目３３ａは、メニュー項目３３ｂにのみ隣接して表示されており、メニュー項目３３ｄは、メニュー項目３３ｃおよび３３ｅに隣接して表示されている。なお、図３では、メニュー項目３３ｃにフォーカスが合っている例が示されている。
【００２９】
なお、他の例として、ダイヤルスイッチ１２を用いた入力に適したメニュー画面は、例えば図４や図５に示すような構成であってもよい。図４または図５に示したいずれのメニュー画面も、画面内のそれぞれのメニュー項目は、１つまたは２つの他のメニュー項目に隣接して表示されている。
【００３０】
このように、それぞれのメニュー項目に隣接して表示されるメニュー項目が、多くとも２つであることにより、複数のメニュー項目を移動するフォーカスの挙動の自由度が少なくなる。そのため、車載装置本体２０に予め設定されているフォーカスの挙動と、メニュー画面からユーザによって想定されるフォーカスの挙動とが異なる可能性を低くすることができる。これにより、メニュー表示部２２は、走行中において、ダイヤルスイッチ１２を用いた場合に、より使いやすいメニュー構成を提供することができる。
【００３１】
ここで、運転者は、運転中において、タッチパネル１１を用いた入力操作よりも、ダイヤルスイッチ１２を用いた入力操作のほうが操作が楽なので、メニュー表示部２２は、走行中に、ダイヤルスイッチ１２を用いた入力に適したメニュー画面３２、３４、または３６等を表示することにより、運転中の運転者により使いやすい操作環境を提供することができる。
【００３２】
図６は、車載システム１０の動作の一例を示すフローチャートである。例えば、車載システム１０が起動する等の所定のタイミングで、車載システム１０は、本フローチャートに示す動作を開始する。
【００３３】
まず、アプリケーション実行部２１は、起動画面を表示装置１３に表示し、メニュー画面の表示をメニュー表示部２２に指示する。メニュー表示部２２は、車両が走行中か否かを判定する（Ｓ１０）。メニュー表示部２２は、例えば起動してから所定時間以内（例えば３秒以内）に、車両から車速パルスが供給された場合に、走行中であると判定する。
【００３４】
車両が走行中である場合（Ｓ１０：Ｙｅｓ）、図３から５を用いて説明した、ダイヤルスイッチ１２を用いた入力に適したメニュー項目の並びで構成されるメニュー画面を生成して表示装置１３に表示させる（Ｓ１１）。
【００３５】
次に、メニュー表示部２２は、車両が停車したか否かを判定する（Ｓ１２）。メニュー表示部２２は、例えば、車両より前回供給された車速パルスから所定時間以内（例えば３秒以内）に次の車速パルスが供給されなかった場合に、車両が停車中であると判定する。
【００３６】
車両が停車した場合（Ｓ１２：Ｙｅｓ）、メニュー表示部２２は、ステップＳ１３に示す処理を実行する。一方、車両が走行中である場合（Ｓ１２：Ｎｏ）、メニュー表示部２２は、再びステップＳ１１に示した処理を実行する。
【００３７】
ステップＳ１０において、車両が停車中である場合（Ｓ１０：Ｎｏ）、図２を用いて説明した、タッチパネル１１を用いた入力に適したメニュー項目の並びで構成されるメニュー画面を生成して表示装置１３に表示させる（Ｓ１３）。
【００３８】
次に、メニュー表示部２２は、車両が走行を開始したか否かを判定する（Ｓ１４）。メニュー表示部２２は、例えば、所定の時間間隔以内（例えば３秒以内）で、車両から複数の車速パルスが供給された場合に、車両が走行を開始したと判定する。
【００３９】
車両が走行を開始した場合（Ｓ１４：Ｙｅｓ）、メニュー表示部２２は、ステップＳ１１に示した処理を実行する。一方、車両が停車中である場合（Ｓ１４：Ｎｏ）、メニュー表示部２２は、再びステップＳ１３に示した処理を実行する。
【００４０】
以上、本発明の実施の形態について説明した。
【００４１】
上記説明から明らかなように、本発明の車載システム１０によれば、メニュー項目の選択方法を、停車中および運転中のそれぞれにおいて、運転者にとってより使いやすくすることができる。
【００４２】
なお、本発明は、上記の各実施形態に限定されるものではなく、その要旨の範囲内で数々の変形が可能である。
【００４３】
例えば、図７は、走行中に表示される、ダイヤルスイッチ１２を用いた入力に適したメニュー画面の他の例を例示する図である。ナビゲーション機能を有する車載装置では、走行中に操作が禁止されているメニュー項目を有する場合がある。
【００４４】
メニュー表示部２２は、車両が走行中の場合に、ダイヤルスイッチ１２を用いた入力に適したメニュー画面を生成するが、この場合に、走行中に操作が禁止されているメニュー項目を削除して、走行中に操作が許されているメニュー項目で構成されるメニュー画面を生成して表示装置１３に表示させるようにしてもよい。
【００４５】
メニュー表示部２２は、停車中には、図２に示したメニュー画面３０を生成して表示装置１３に表示し、走行中には、図７に示すように、走行中に操作が許されているメニュー項目３８ａ、３８ｃ、３８ｄ、および３８ｆから構成されるメニュー画面３８を生成して表示装置１３に表示する。
【００４６】
このように、メニュー画面が切り替わるタイミングで操作が禁止されているメニュー項目を削除するので、ユーザに与える違和感を低減することができる。また、メニュー項目の数が減少することにより、１つ１つのメニュー項目を表示する画面領域を広く取ることができ、それぞれのメニュー項目により多くの情報を表示することができ、より使いやすい操作環境を提供することができる。
【００４７】
また、上記した実施形態において、メニュー表示部２２は、車両が停車した場合に、タッチパネル１１を用いた入力に適したメニュー画面を表示装置１３に表示させるが、他の形態として、メニュー表示部２２は、所定時間以上（例えば３分以上）停車した場合に、タッチパネル１１を用いた入力に適したメニュー画面を表示装置１３に表示させ、停車時間が所定時間未満の場合には、ダイヤルスイッチ１２を用いた入力に適したメニュー画面を表示装置１３に表示させ続けるようにしてもよい。これにより、交差点進入時に一旦停止する場合や、信号待ち等のように一時的に停車した場合に、画面が切り替わることを防止することができる。
【図面の簡単な説明】
【００４８】
【図１】本発明の一実施形態に係る車載システム１０の構成を示すシステム構成図である。
【図２】タッチパネル１１用のメニュー画面の一例を示す図である。
【図３】ダイヤルスイッチ１２用のメニュー画面の一例を示す図である。
【図４】ダイヤルスイッチ１２用のメニュー画面の他の例を示す図である。
【図５】ダイヤルスイッチ１２用のメニュー画面の他の例を示す図である。
【図６】車載システム１０の動作の一例を示すフローチャートである。
【図７】ダイヤルスイッチ１２用のメニュー画面の他の例を示す図である。
【図８】従来のメニュー画面の構成の一例を示す図である。
【図９】従来のメニュー画面の構成の一例を示す図である。
【符号の説明】
【００４９】
１０・・・車載システム、１１・・・タッチパネル、１２・・・ダイヤルスイッチ、１３・・・表示装置、２０・・・車載装置本体、２１・・・アプリケーション実行部、２２・・・メニュー表示部、３０・・・メニュー画面、３１・・・メニュー項目、３２・・・メニュー画面、３３・・・メニュー項目、３４・・・メニュー画面、３５・・・メニュー項目、３６・・・メニュー画面、３７・・・メニュー項目、３８・・・メニュー画面、３９・・・メニュー項目、４０・・・メニュー画面、４１・・・メニュー項目
【図１】
2008065519.tif 000003
【図２】
2008065519.tif 000004
【図３】
2008065519.tif 000005
【図４】
2008065519.tif 000006
【図５】
2008065519.tif 000007
【図６】
2008065519.tif 000008
【図７】
2008065519.tif 000009
【図８】
2008065519.tif 000010
【図９】
2008065519.tif 000011